(57)【特許請求の範囲】
【請求項１】
書き換え可能な記録媒体を装填する装填部と、前記装填部への前記記録媒体の装填を検出する検出手段と、前記記録媒体に記録されている情報を消去する消去手段と、前記消去手段による情報の消去を許可する消去許可信号の入力手段と、情報の消去およびその許可に関する制御を行う制御手段とを有し、前記記録媒体が前記装填部に装填されている状態において、前記記録媒体との間で通信を行う電子スチルカメラであって、
前記制御手段は、前記検出手段により前記記録媒体の前記装填部への装填が検出されていないときに前記消去許可信号が入力された場合には、その後前記装填部に装填された記録媒体に対し、それに記録されている情報の消去が可能な状態とすることを特徴とする電子スチルカメラ。
【請求項２】
前記情報の消去が可能な状態で、前記消去手段を作動して情報の消去を実行する請求項１に記載の電子スチルカメラ。
【請求項３】
前記消去手段は、消去スイッチを有し、前記情報の消去の実行は、前記消去スイッチをオンして消去モードとする第１の段階と、前記消去モードにおいてレリーズスイッチをオンして情報を消去する第２の段階とを経て行われる請求項２に記載の電子スチルカメラ。
【請求項４】
前記記録媒体は、ＩＣメモリーカードであり、前記検出手段は、前記ＩＣメモリーカードの端子との電気的接続を検出するものである請求項１ないし３のいずれかに記載の電子スチルカメラ。
【請求項５】
前記検出手段は、前記ＩＣメモリーカードに接続し得る一対の端子を有するコネクタと、前記各端子とそれぞれ接続され、一端に電圧が印加されているプルアップ抵抗と、前記一対の端子が入力側に接続されているＯＲ回路とを有し、前記ＯＲ回路の出力のロー／ハイにより前記装填部への前記ＩＣメモリーカードの装填を検出するものである請求項４に記載の電子スチルカメラ。
【請求項６】
前記ＩＣメモリーカードは、カード属性情報を記憶することができ、電子スチルカメラは、前記ＩＣメモリーカードに記憶されたカード属性情報を消去可能である請求項４または５に記載の電子スチルカメラ。
【請求項７】
表示部と、消去する画像を選択する選択手段とを有し、
前記表示部は、前記入力手段による消去許可信号の入力の有無、前記選択手段により選択された消去する画像の番号、前記記録媒体の前記装填部への装填の有無のうちの少なくとも１つを含む情報を表示し得るよう構成されている請求項１ないし６のいずれかに記載の電子スチルカメラ。
【発明の詳細な説明】
【０００１】
【産業上の利用分野】
本発明は、記録媒体に記録された情報を消去し得る電子スチルカメラに関する。
【０００２】
【従来の技術】
記録媒体に記憶されている情報を読み取りまたは記録媒体へ情報を書き込む電子スチルカメラとして、ＩＣメモリーカードカメラ（例えば、ＩＣメモリーカードに撮影した画像を記憶する装置を有する電子スチルカメラ）が知られている。このＩＣメモリーカードカメラは、カード装填部を有し、このカード装填部にＩＣメモリーカードを装填すると、ＩＣメモリーカードの端子がカメラ本体側に設置された電子スチルカメラのコネクタと電気的に接続され、ＩＣメモリーに記憶された画像情報の読み取りやＩＣメモリーへの画像情報の書き込みが可能となる。
【０００３】
ところで、このような電子スチルカメラにおいては、ＩＣメモリーに記憶された画像情報を必要に応じ消去することができるものが開発されている。この消去は、カメラの外面に設置された消去ボタンを押すことにより行われるが、操作者が誤って消去ボタンを押し、本来消去すべきでない画像を不本意に消去してしまうことがある。
【０００４】
【発明が解決しようとする課題】
本発明の目的は、記録媒体に記録された情報の誤消去を確実に防止することができる電子スチルカメラを提供することにある。
【０００５】
【課題を解決するための手段】
このような目的は、下記（１）〜（７）の本発明により達成される。
【０００６】
（１）  書き換え可能な記録媒体を装填する装填部と、前記装填部への前記記録媒体の装填を検出する検出手段と、前記記録媒体に記録されている情報を消去する消去手段と、前記消去手段による情報の消去を許可する消去許可信号の入力手段と、情報の消去およびその許可に関する制御を行う制御手段とを有し、前記記録媒体が前記装填部に装填されている状態において、前記記録媒体との間で通信を行う電子スチルカメラであって、
前記制御手段は、前記検出手段により前記記録媒体の前記装填部への装填が検出されていないときに前記消去許可信号が入力された場合には、その後前記装填部に装填された記録媒体に対し、それに記録されている情報の消去が可能な状態とすることを特徴とする電子スチルカメラ。
【０００７】
（２）  前記情報の消去が可能な状態で、前記消去手段を作動して情報の消去を実行する上記（１）に記載の電子スチルカメラ。
【０００８】
（３）  前記消去手段は、消去スイッチを有し、前記情報の消去の実行は、前記消去スイッチをオンして消去モードとする第１の段階と、前記消去モードにおいてレリーズスイッチをオンして情報を消去する第２の段階とを経て行われる上記（２）に記載の電子スチルカメラ。
【０００９】
（４）  前記記録媒体は、ＩＣメモリーカードであり、前記検出手段は、前記ＩＣメモリーカードの端子との電気的接続を検出するものである上記（１）ないし（３）のいずれかに記載の電子スチルカメラ。
【００１０】
（５）  前記検出手段は、前記ＩＣメモリーカードに接続し得る一対の端子を有するコネクタと、前記各端子とそれぞれ接続され、一端に電圧が印加されているプルアップ抵抗と、前記一対の端子が入力側に接続されているＯＲ回路とを有し、前記ＯＲ回路の出力のロー／ハイにより前記装填部への前記ＩＣメモリーカードの装填を検出するものである上記（４）に記載の電子スチルカメラ。
【００１１】
（６）  前記ＩＣメモリーカードは、カード属性情報を記憶することができ、電子スチルカメラは、前記ＩＣメモリーカードに記憶されたカード属性情報を消去可能である上記（４）または（５）に記載の電子スチルカメラ。
（７）  表示部と、消去する画像を選択する選択手段とを有し、
前記表示部は、前記入力手段による消去許可信号の入力の有無、前記選択手段により選択された消去する画像の番号、前記記録媒体の前記装填部への装填の有無のうちの少なくとも１つを含む情報を表示し得るよう構成されている上記（１）ないし（６）のいずれかに記載の電子スチルカメラ。
【００１２】
【実施例】
以下、本発明の電子スチルカメラを添付図面に示す好適実施例に基づいて詳細に説明する。
【００１３】
図１および図２は、それぞれ、本発明の電子スチルカメラの構成例を示す斜視図およびブロック図である。図１に示すように、電子スチルカメラ（ＣＣＤデジタルカメラ）１は、箱型のボディー１０を有し、ボディー１０の前面（正面）には、撮影レンズ３およびストロボの発光部９、ボディー１０の背面には、ファインダー７およびＩＣメモリーカード４０の装填口３２、ボディー１０の上面には、メインスイッチ１２０、レリーズスイッチ１２１、ズームスイッチ１２２および表示部１３、ボディー１０の側面には、消去スイッチ１２３、消去許可スイッチ（消去許可信号の入力手段）１２４およびコマ選択スイッチ（消去画像の選択手段）１２５が、それぞれ設置されている。
【００１４】
図２に示すように、電子スチルカメラ１は、ボディー１０内に撮影光学系２を有している。この撮影光学系２は、カム環内に移動可能に設置されている撮影レンズ３と、絞り４と、ハーフミラー５とで構成されている。絞り４は、複数の羽根を有しており、絞り駆動回路２０による羽根の移動や回転により、その開口径を変更し得るよう構成されている。
【００１５】
さらに、撮影光学系２の後方の撮像面には、ＣＣＤ（固体撮像素子）８が設置されている。このＣＣＤ８は、多数の画素が行列状に配置され、各画素のそれぞれが受光光量に応じた電荷を蓄積し、この電荷を所定時に順次転送するように構成されている。
【００１６】
本実施例は、カラー画像撮影用の電子スチルカメラ１であり、よって、ＣＣＤ８としては、補色フィルターのＣＣＤが用いられている。すなわち、ＣＣＤ８の各画素（最小単位）には、マゼンタ（Ｍｇ）、イエロー（Ｙｅ）、シアン（Ｃｙ）およびグリーン（Ｇ）を取り出すためのフィルターが各々被せられている。そして、ＣＣＤ８のマゼンタ、イエロー、シアンおよびグリーンを取り出すためのフィルターを有する４つの画素が１単位を構成し、この１単位により画面上における１つの画素が構成される。
また、このような撮影光学系２の光路から分岐するファインダー光学系として、反射鏡６およびファインダー７が設置されている。
【００１７】
このような構成において、被写体からの光は、撮影レンズ３を透過し、絞り４の開口を通過した後、その一部はハーフミラー５で反射し、その残部はハーフミラー５を透過する。ハーフミラー５で反射した光は、さらに反射鏡６で反射し、ファインダー７に至る。一方、ハーフミラー５を透過した光は、ＣＣＤ８の受光面に至る。このようにして、被写体像は、ＣＣＤ８の受光面上に結像する。
【００１８】
また、電子スチルカメラ１は、制御手段１１を有している。この制御手段１１は、通常、マイクロコンピュータ（ＣＰＵ）で構成され、後述する消去およびその許可に関する制御のほか、シーケンス制御、露出演算、自動露出や自動焦点合わせの実行、ストロボ駆動等の電子スチルカメラ１における諸機能の制御を行う。
【００１９】
制御手段１１には、操作部１２および表示部１３が接続されている。操作部１２には、例えば、メインスイッチ（電源スイッチ）１２０、撮影しかつその画像信号をＩＣメモリーカード４０に記憶（記録）するためのレリーズスイッチ１２１、撮影レンズ３のうちのズームレンズを駆動して焦点距離を望遠側または広角側に変更するためのズームスイッチ１２２、ＩＣメモリーカード４０のＩＣメモリーに記憶された所定の画像信号等を消去する消去モードにする消去スイッチ１２３、画像信号等の消去を許可する消去許可スイッチ１２４および撮影または消去する画像を選択するコマ選択スイッチ１２５が設置されており、さらに、フィールド記録／フレーム記録のうちの一方を選択する記録モード選択スイッチ、画像信号を記憶するＩＣメモリーカード４０のメモリー上の領域（アドレス）を指定するスイッチ等が必要に応じて設置されている。
【００２０】
操作部１２において、消去スイッチ１２３をオンすると、消去モード設定指令信号が制御手段１１へ入力され、消去モードに設定される。なお、消去スイッチ１２３がオフのときは、撮影モードに設定されている。
【００２１】
また、ＩＣメモリーカード４０の非装填時において、消去許可スイッチ１２４をオンすると、消去許可信号が制御手段１１へ入力され、消去モード下で、以後装填されたＩＣメモリーカード４０のＩＣメモリーに記憶された画像信号等の消去が可能となる。
【００２２】
表示部１３には、例えば、メインスイッチ１２０、消去スイッチ１２３、消去許可スイッチ１２４等のオン／オフの別、コマ選択スイッチ１２５により選択されたコマ番号、記録モード選択スイッチにより選択されたフィールド記録／フレーム記録の別、撮影の年月日等の情報、ＩＣメモリーカード４０の装填の有無、画像信号を記憶するＩＣメモリーカード４０のメモリー上の領域、ストロボ発光に関する情報、ズーム倍率、現在の時間等のうちの必要な情報が、例えば、液晶表示素子（ＬＣＤ）や発光素子により表示される。
【００２３】
また、電子スチルカメラ１は、電力を供給するための電源回路１４を有している。この電源回路１４には、バッテリー１５が接続され、また、外部電源回路１６に接続するための端子が設けられている。
【００２４】
また、電子スチルカメラ１は、ズーム駆動回路１８、フォーカス駆動回路１９、絞り駆動回路２０、図示しない測光手段および測距手段を有している。測光手段は、被写体の輝度を測定し、その情報を制御手段１１へ入力する。測距手段は、例えば、アクティブ方式、パッシブ方式により電子スチルカメラ１から被写体までの距離情報あるいは電子スチルカメラ１内の基準焦点位置（合焦位置）に対するディフォーカス量を測定し、その情報（測距情報）を制御手段１１へ入力する。
【００２５】
レリーズスイッチ１２１は、２段スイッチとなっている。撮影モードにおいては、レリーズスイッチの１段目をオンすると、前記測光手段および測距手段がそれぞれ作動し、さらに、２段目をオンすると、ＣＣＤ駆動手段２１によりＣＣＤ８が駆動して撮影が行われる。また、消去モードにおいて消去が許可されている場合には、レリーズスイッチの１段目をオンしても前記測光手段および測距手段は作動せず、さらに、２段目をオンすると、後述する消去手段が作動して、ＩＣメモリーカード４０のメモリー上から、コマ選択スイッチ１２５にて選択されたコマ番号についての画像信号が消去される。
【００２６】
ズーム駆動回路１８は、カム環を回転させることにより撮影光学系２の焦点距離を望遠側または広角側へ駆動する回路であり、ズーム駆動用のモータを有している。このズーム駆動回路１８は、ズームスイッチ１２２の操作により作動する。
【００２７】
フォーカス駆動回路１９は、合焦点駆動用のモータを有している。前述したように、測距手段から制御手段１１に測距情報が入力され、制御手段１１は、この測距情報に基づいて、合焦させるための指令信号をフォーカス駆動回路１９に入力する。フォーカス駆動回路１９は、この合焦指令により合焦点駆動用のモータを所定量回転駆動させて、撮影レンズ３のうちの焦点合わせレンズを駆動する。これにより合焦状態が得られる。
【００２８】
絞り駆動回路２０は、絞り駆動用のモータを有している。前述したように、測光手段から制御手段１１に被写体の輝度情報が入力され、制御手段１１は、この輝度情報に基づいて、露出演算を行い適正な絞り値およびシャッター速度（ＣＣＤ８での電荷蓄積時間）を決定する。そして、絞り４の絞り値を前記適正絞り値にする指令信号を絞り駆動回路２０に入力する。絞り駆動回路２０は、この指令により絞り駆動用のモータを所定量回転駆動させて、絞り４の羽根を駆動する。
【００２９】
また、電子スチルカメラ１は、ストロボの発光部９およびストロボ駆動回路１７を有している。前記測光手段による測光値に基づき、制御手段１１からストロボ駆動回路１７にストロボ駆動指令信号（ストロボ発光トリガー信号）が入力されると、ストロボ駆動回路１７は、この指令により発光部９を発光させる。なお、発光部９の発光量（発光時間）は、ストロボ駆動回路１７に内蔵された調光回路により適正に制御される。
【００３０】
また、電子スチルカメラ１は、ＣＣＤ駆動回路２１、同期信号発生回路２２、アドレス制御回路２３、ＣＣＤ信号処理回路２４、Ａ／Ｄ変換器２５、メインメモリー２６、ＲＧＢマトリックス回路２７、画像圧縮回路２８、メモリーカード制御回路２９、ＩＣメモリーカード４０を装填する装填部３０および装填部３０へのＩＣメモリーカード４０の装填を検出する検出手段３１を有している。
【００３１】
同期信号発生回路２２では、同期信号（水平同期信号および垂直同期信号）を生成し、また、この同期信号に基づいて、各クロック信号を生成する。生成された同期信号および各クロック信号は、それぞれ、ＣＣＤ駆動回路２１と、アドレス制御回路２３に入力される。
【００３２】
アドレス制御回路２３では、同期信号発生回路２２から入力された同期信号に基づいて、各クロック信号を生成する。アドレス制御回路２３で生成された各クロック信号は、それぞれＲＧＢマトリックス回路２７に入力される。
【００３３】
ＣＣＤ駆動回路２１は、同期信号発生回路２２から入力される同期信号およびクロック信号に基づいてＣＣＤ８を駆動する。この場合、レリーズスイッチ１２１の２段目がオンされると、ＣＣＤ８の各画素には、前述した測光手段からの被写体の輝度情報に基づき求められた適正なシャッター速度（露光時間）、すなわち電荷蓄積時間で、被写体像に対応する光量に応じた電荷が蓄積され、この蓄積された電荷は順次転送され、ＣＣＤ信号処理回路２４に入力される。
【００３４】
ＣＣＤ信号処理回路２４では、ＣＣＤ８から出力される信号に対し所定の信号処理を行い、撮影された被写体像のアナログ画像信号、すなわち、マゼンタ、イエロー、シアンおよびグリーンに関するアナログ画像信号を得る。このアナログ画像信号は、Ａ／Ｄ変換器２５によりデジタル画像信号、すなわち、マゼンタ、イエローおよびシアンの補色デジタル画像信号と、グリーンの原色デジタル画像信号とに変換され、メインメモリー２６の所定のアドレスに一旦記憶される。
【００３５】
この場合、アドレス制御回路２３は、生成したクロック信号に基づき、内蔵する書き込み用アドレスカウンターを作動させて、メインメモリー２６の所定のアドレスに、各デジタル画像信号を書き込んでいく。
【００３６】
また、アドレス制御回路２３は、生成したクロック信号に基づき、内蔵する読み出し用アドレスカウンターを作動させて、メインメモリー２６の所定のアドレスから各デジタル画像信号を読み出していく。
【００３７】
読み出された各デジタル画像信号は、ＲＧＢマトリックス回路２７に入力される。このＲＧＢマトリックス回路２７においては、入力されたマゼンタ、イエローおよびシアンの補色デジタル画像信号およびグリーンの原色デジタル画像信号に対し、所定の演算処理等を行い、レッド（Ｒ）、グリーン（Ｇ）およびブルー（Ｂ）のデジタル画像信号、すなわち原色デジタル画像信号に変換する。
【００３８】
このようにして得られた各原色デジタル画像信号は、それぞれ、メモリーカード制御回路２９に入力される。このメモリーカード制御回路２９では、制御手段１１によって制御される画像圧縮回路２８により、入力された原色デジタル画像信号を所定量に圧縮した原色デジタル画像信号を出力する。
【００３９】
装填部３０にＩＣメモリーカード４０を装填した状態で、メモリーカード制御回路２９から出力された圧縮済の原色デジタル画像信号は、後述するコネクタ３００を介して、ＩＣメモリーカード４０のＩＣメモリーの所定のアドレスに記憶される。
【００４０】
ＩＣメモリーカード４０は、電子スチルカメラ１により撮影された画像を記憶（記録）するための記録媒体であり、ＩＣ（Integrated Circuit）メモリーが組み込まれたカードである。このＩＣメモリーは、前述した画像信号（画像情報）を記憶する領域と、カード属性情報を記憶する領域とを有している。カード属性情報としては、例えば、ＩＣメモリーの種類（例えば、スタティックラム、フラッシュメモリー等）、ＩＣメモリーの記憶容量、アクセス速度等が挙げられる。この他、ＩＣメモリーには、例えば、シャッター速度、絞り値等またはこれらの組み合わせのような露光条件や、撮影の年月日等のカメラの撮影条件に関する情報が記憶されていてもよい。
【００４１】
ＩＣメモリーに記憶されている画像情報は、消去または書き換え（以下、これらを総称して「消去」という）が可能となっている。この場合、ＩＣメモリーに記憶されている画像信号は、１画像分（１コマ分）毎に消去し得る。また、カード属性情報についても同様に消去することができる。
【００４２】
このような情報の消去は、ＩＣメモリーカード４０の装填部３０への装填状態において、制御手段１１により制御されたメモリーカード制御回路２９の消去信号出力部（消去手段）から、ＩＣメモリーカード４０へＥ５ｈコードをディレクトリーエントリーの主ファイルに書き込むとともに、ＦＡＴを０にしてファイルを削除することにより行われる。
【００４３】
図３は、検出手段３１の構成例を示す回路図である。同図に示すように、装填部３０の奥部には、ＩＣメモリーカード４０の端子と電気的に接続するコネクタ３００が設置され、さらに、該コネクタ３００には、コネクタ３００とＩＣメモリーカード４０の端子とが電気的に接続されているか否かを検出する検出手段３１が設置されている。
【００４４】
検出手段３１は、コネクタ３００の一対の端子３０３、３０５にそれぞれ接続されているプルアップ抵抗３１３、３１５と、ＯＲ回路３１１とを有している。そして、プルアップ抵抗３１３、３１５の一端には、それぞれ電圧ＶCCが印加されている。
【００４５】
また、ＩＣメモリーカード４０は、一対の端子４３（−ＣＤ２）および４５（−ＣＤ１）を有しており、この一対の端子４３、４５は、それぞれカード内でグラウンド側に接続されている。
【００４６】
このような構成の検出手段３１では、コネクタ３００の端子３０３、３０５にそれぞれ端子４３、４５が接続された場合には、ＯＲ回路３１１の出力はロー（Ｌ）となる。また、端子３０３と端子４３、端子３０５と端子４５のいずれか一方のみが接続されるか、または双方とも接続されない場合には、印加電圧ＶCCによりＯＲ回路３１１の出力はハイ（Ｈ）となる。
【００４７】
すなわち、ＯＲ回路３１１の出力がローの場合、コネクタ３００の端子３０３、３０５と、これらに対応するＩＣメモリーカード４０の端子４３、４５とが接続された状態と判断され、ＯＲ回路３１１の出力がハイの場合、コネクタ３００の端子３０３、３０５と、ＩＣメモリーカード４０の端子４３、４５とが接続されていない状態（接続が不完全な状態も含む）と判断される。このようにして検出手段３１から出力されたハイまたはローレベルの信号は、制御手段１１に入力され、各種の制御（例えば、後述する消去に関する制御）に利用される。
【００４８】
なお、ＩＣメモリーカード４０の装填部３０への装填は、ＩＣメモリーカード４０を手で把持しつつ装填口３２より内部へ挿入し、装填部３０の最奥部に当接した後、さらに押圧して、ＩＣメモリーカード４０の端子４３、４５をコネクタ３００の端子３０３、３０５に接続する。ＩＣメモリーカード４０を装填部３０から排出する際には、ＩＣメモリーカード４０を手で把持して引き抜く。また、装填部３０内に所望のカード搬送機構（図示せず）を設置し、エジェクトスイッチの操作により前記カード搬送機構を作動させて、ＩＣメモリーカード４０を自動的に排出するような構成としてもよい。
【００４９】
このような電子スチルカメラ１により撮影を行ない、その撮影した画像情報をＩＣメモリーカード４０に記憶する場合には、まず、操作部１２のメインスイッチ１２０をオンし、装填部３０にＩＣメモリーカード４０を装填し、コネクタ３００の端子３０３、３０５と、ＩＣメモリーカード４０の端子４３、４５とをそれぞれ電気的に接続させる。これにより、ＩＣメモリーカード４０に予め記憶されているカード属性情報等は、端子４３、４５、コネクタ３００およびメモリーカード制御回路２９を介して、制御手段１１に内蔵されている不揮発性メモリーの所定のアドレスに記憶される。また、電源回路１４から電力がＩＣメモリーカード４０に供給される。不揮発性メモリーに記憶されたカード属性情報は、適宜読み出され、この読み出された情報に基づいて、装置各部の動作モードが設定される。
【００５０】
このようにして撮影が可能な状態となり、撮影者がレリーズスイッチ１２１をオンすると、前述したように、合焦状態かつ適正な露光条件（絞り値およびシャッター速度）で撮影がなされ、被写体像がＣＣＤ８上に結像する。なお、この場合、ＩＣメモリーカード４０より読み出され、不揮発性メモリーに記憶されている露光条件に従って、撮影を行ってもよい。
【００５１】
ＣＣＤ８から出力されたアナログ画像信号は、ＣＣＤ信号処理回路２４において所定の信号処理がなされ、マゼンタ、イエロー、シアンおよびグリーンに関するアナログ画像信号とされ、さらに、Ａ／Ｄ変換器２５によりデジタル画像信号に変換される。Ａ／Ｄ変換器２５より出力されたデジタル画像信号は、ＩＣメモリーカード４０への書き込み速度に合わせるために、メインメモリー２６の所定のアドレスに一旦記憶される。
【００５２】
メインメモリー２６からは、書き込み速度よりも遅い速度でマゼンタ、イエロー、シアンおよびグリーンのデジタル画像信号が読み出され、このデジタル画像信号は、ＲＧＢマトリックス回路２７に入力され、レッド（Ｒ）、グリーン（Ｇ）およびブルー（Ｂ）の原色デジタル画像信号に変換される。
【００５３】
このようにして得られた各原色デジタル画像信号は、それぞれ、メモリーカード制御回路２９に入力される。このメモリーカード制御回路２９では、制御手段１１によって制御される画像圧縮回路２８により、入力された原色デジタル画像信号を所定量に圧縮した原色デジタル画像信号を出力する。
【００５４】
装填部３０にＩＣメモリーカード４０を装填した状態で、メモリーカード制御回路２９から出力された圧縮済の原色デジタル画像信号は、コネクタ３００を介して、ＩＣメモリーカード４０のＩＣメモリーの所定のアドレスに記憶される。以上により、撮影された画像情報のＩＣメモリーカード４への記憶が完了する。
【００５５】
次に、ＩＣメモリーカード４０に記憶された画像信号の消去を行う際の制御手段１１の制御動作について具体的に説明する。図４および図５は、制御手段１１の動作を示すフローチャートである。以下、このフローチャートに基づいて説明する。
【００５６】
まず、メインスイッチ１２０がオンの状態で、前述した検出手段３１の検出の結果により、ＩＣメモリーカード４０が装填部３０へ装填されているか否かを判断する（ステップ１０１）。
【００５７】
ステップ１０１の結果、ＩＣメモリーカード４０が装填部３０へ装填されていないと判断された場合には、消去許可スイッチ１２４がオンであるか否かを判断する（ステップ１０２）。
【００５８】
ステップ１０２の結果、消去許可スイッチ１２４がオフであると判断された場合には、再度ステップ１０２の前に戻り、消去許可スイッチ１２４がオンであると判断された場合には、画像信号の消去を可能とする消去許可状態とする（ステップ１０３）。
次いで、前述した検出手段３１の検出の結果により、ＩＣメモリーカード４０が装填部３０へ装填されているか否かを判断する（ステップ１０４）。
【００５９】
ステップ１０４の結果、ＩＣメモリーカード４０が装填部３０へ装填されていないと判断された場合には、再度ステップ１０４の前に戻り、ＩＣメモリーカード４０が装填部３０へ装填されていると判断された場合には、消去スイッチ１２３がオンか否か、すなわち消去モードであるか否かを判断する（ステップ１０５）。
【００６０】
ステップ１０５の結果、消去スイッチ１２３がオフであると判断された場合には、再度ステップ１０５の前に戻り、消去スイッチ１２３がオンであると判断された場合には、コマ選択スイッチ１２５により消去するコマ番号が選択されているか否かを判断する（ステップ１０６）。
【００６１】
ステップ１０６の結果、コマ選択済でないと判断された場合には、再度ステップ１０６の前に戻り、コマ選択済であると判断された場合には、レリーズスイッチ１２１がオンであるか否かを判断する（ステップ１０７）。レリーズスイッチ１２１がオフであると判断された場合には、再度ステップ１０７の前に戻り、レリーズスイッチ１２１がオンであると判断された場合には、ＩＣメモリーカード４０のＩＣメモリー上から、選択されたコマ（画像）についての画像信号を消去する。
【００６２】
次いで、消去を継続するか否かを判断し（ステップ１０９）、消去を継続すると判断された場合には、再度ステップ１０６の前に戻る。消去を継続しないと判断された場合には、前述した検出手段３１の検出の結果により、ＩＣメモリーカード４０が装填部３０から排出されたか否かを判断する（ステップ１１０）。
【００６３】
ステップ１１０の結果、ＩＣメモリーカード４０が装填部３０から排出されていないと判断された場合には、消去スイッチ１２３がオフか否か、すなわち消去モードが解除されたか否かを判断する（ステップ１１１）。
【００６４】
ステップ１１１の結果、消去スイッチ１２３がオンと判断された場合には、再度ステップ１１１の前に戻り、消去スイッチ１２３がオフと判断された場合には、このプログラムを終了する。
また、ステップ１１０の結果、ＩＣメモリーカード４０が装填部３０から排出済と判断された場合には、消去許可状態を解除し（ステップ１１２）、このプログラムを終了する。
【００６５】
また、前記ステップ１０１の結果、ＩＣメモリーカード４０が装填部３０へ装填されていると判断された場合には、消去許可状態か否かを判断する（ステップ１１３）。
ステップ１１３の結果、消去許可状態であると判断された場合には、前記ステップ１０５の前に戻り、それ以後のステップを実行し、消去許可状態ではないと判断された場合には、このプログラムを終了する。
【００６６】
以上のように、本発明の電子スチルカメラ１では、装填部３０にＩＣメモリーカード４０が非装填状態のときに消去許可スイッチ１２４がオン（消去許可信号が入力）されない限り、その後装填部３０に装填されたＩＣメモリーカード４０に対し、それに記憶されている画像情報等の消去ができないよう構成されているため、誤消去を確実に防止することができる。
【００６７】
以上、本発明の電子スチルカメラを図示の構成例に基づいて説明したが、本発明はこれに限定されるものではない。例えば、消去手段は、前述した１画像毎の消去の他に、消去画像の選択手段により選択された複数の画像または全ての画像についての画像信号を、ＩＣメモリーカード４０のＩＣメモリーから同時に消去し得る機能を有するものであってもよい。
【００６８】
また、ＩＣメモリーに記憶されている情報の消去は、画像信号に限らず、例えば、前述したカード属性情報についても消去することができるような構成であってもよい。この場合でも、前述したように、ＩＣメモリーカード４０が非装填状態で消去許可スイッチ１２４がオン（消去許可信号が入力）された場合には、その後装填されたＩＣメモリーカード４０に対し、それに記憶されているカード属性情報の消去を可能とするよう制御することができる。
【００６９】
また、装填部３０へのＩＣメモリーカード４０の装填を検出する検出手段３１は、ＩＣメモリーカード４０の端子との電気的接続を検出するものに限らず、例えば、装填部３０の内部や装填口３２付近に設置され、ＩＣメモリーカード４０の存在を検知する光センサー、タッチセンサー、磁気センサー等の各種センサーであってもよい。
【００７０】
また、前記実施例では、記録媒体として、ＩＣメモリーカードを用いているが、本発明における記録媒体は、ＩＣメモリーカードに限定されず、例えば、カード以外のものに搭載されたメモリーであってもよく、さらには、磁気記録媒体、光磁気記録媒体、光記録媒体等であってもよい。
【００７１】
【発明の効果】
以上述べたように、本発明の電子スチルカメラによれば、記録媒体に記録された情報の誤消去を有効に防止することができる。
【図面の簡単な説明】
【図１】本発明の電子スチルカメラの構成例を示す斜視図である。
【図２】本発明の電子スチルカメラの構成例を示すブロック図である。
【図３】本発明における検出手段の構成例を示す回路図である。
【図４】本発明における制御手段の動作の一例を示すフローチャートである。
【図５】本発明における制御手段の動作の一例を示すフローチャート（図４の続き）である。
【符号の説明】
１            電子スチルカメラ
２            撮影光学系
３            撮影レンズ
４            絞り
５            ハーフミラー
６            反射鏡
７            ファインダー
８            ＣＣＤ（固体撮像素子）
９            発光部
１０          ボディー
１１          制御手段
１２          操作部
１２０        メインスイッチ
１２１        レリーズスイッチ
１２２        ズームスイッチ
１２３        消去スイッチ
１２４        消去許可スイッチ
１２５        コマ選択スイッチ
１３          表示部
１４          電源回路
１５          バッテリー
１６          外部電源回路
１７          ストロボ駆動回路
１８          ズーム駆動回路
１９          フォーカス駆動回路
２０          絞り駆動回路
２１          ＣＣＤ駆動回路
２２          同期信号発生回路
２３          アドレス制御回路
２４          ＣＣＤ信号処理回路
２５          Ａ／Ｄ変換器
２６          メインメモリー
２７          ＲＧＢマトリックス
２８          画像圧縮回路
２９          メモリーカード制御回路
３０          装填部
３００        コネクタ
３０３、３０５  端子
３１          検出手段
３１１        ＯＲ回路
３１３、３１５  プルアップ抵抗
３２          装填口
４０          ＩＣメモリーカード
４３、４５    端子
【図１】
0003704167.tif 000002
【図２】
0003704167.tif 000003
【図３】
0003704167.tif 000004
【図４】
0003704167.tif 000005
【図５】
0003704167.tif 000006